(57)【要約】    【解決手段】  本発明は、内燃機関を備えた自動車両のための可変減衰特性を有するマフラーに関する。該マフラーは、ハウジング（２０）において終端する少なくとも一つのガスパイプ（１）を備えたハウジング（２０）と、そのクロージャー要素（３）が休止状態においてパイプ（１）の端（２）を閉じる少なくとも一つのバルブとを備えて成る。クロージャー要素（３）が円板であり、ガイドロッド（４）に着座している。ガイドロッド（４）がガイドスリーブ（５）に案内され、持ち上げ動作を実行する。ばね（８）が、バルブハウジング（１０）の中に位置し、該ハウジング（１０）は気密で、マフラーハウジング（２０）に気密に接続されている。    【効果】  ガスパイプ（１）における圧力が十分高くなるとすぐに、弁体（３）がばね（８）の力に抗して開く。【選択図】図１ 
2004278519.tif 000002
【特許請求の範囲】
【請求項１】
内燃機関を備えた自動車両のための可変減衰特性を有するマフラーにおいて、
−ハウジング（２０）と、
−該ハウジング（２０）において終端する少なくとも一つのガスパイプ（１）と、
−そのクロージャー要素（３）が休止状態において、ばね（８）によって上記パイプ（１）の端（２）を閉じる少なくとも一つのバルブとを備えて成るマフラーにして、
−上記バルブが持ち上げ動作を行い、
−上記クロージャー要素が円板（３）であり、
−上記円板（３）がガイドロッド（４）に着座し、
−上記ガイドロッド（４）がガイドスリーブ（５）に案内され、
−上記ばね（８）がバルブハウジング（１０）の中に位置し、
−上記バルブハウジング（１０）が
−気密で、
−上記マフラーハウジング（２０）に気密に接続される
ことを特徴とするマフラー。
【請求項２】
請求項１に記載のマフラーにおいて、ばね案内円板（７）が上記ガイドロッド（４）のばね側の端に設けられていることを特徴とするマフラー。
【請求項３】
請求項１または２に記載のマフラーにおいて、針金で編んだリング（６）が上記ガイドロッド（４）のばね側の端に設置されていることを特徴とするマフラー。
【請求項４】
請求項１〜３のいずれか一項に記載のマフラーにおいて、上記パイプ（１）の端（２）が円錐形で、上記円板（３）も同様に円錐形であることを特徴とするマフラー。
【請求項５】
請求項１〜４のいずれか一項に記載のマフラーにおいて、上記ばね（８）が円錐形であることを特徴とするマフラー。
【発明の詳細な説明】
【技術分野】
【０００１】
本発明は、自動車両のための可変減衰特性を有するマフラーに関する。
【背景技術】
【０００２】
可変制動特性を有するマフラーが特許文献１、特許文献２、さらに特許文献３において開示されている。これらのマフラーの全てがハウジングを有しており、内燃機関の排気ガスが入り口パイプを通って上記ハウジングに入り、出口パイプを通って上記ハウジングから出る。マフラーハウジングの内部では、さらなるパイプが備えられている。
【０００３】
さらに、マフラーハウジングの内部にはバルブが備えられている。これはバネ付勢クロージャー要素を有している。該要素は、休止状態、すなわちガス流量が低い時、例えばエンジンがアイドリングをしている時に、ガス口を閉じる。これにより排気ガスはマフラーハウジング内部で、騒音を強く減衰する長い距離を進むことを強いられる。
【０００４】
内燃機関の回転速度が増加すると、排気ガスの流れが増加する。従って、比較的高い圧力がバルブのクロージング要素に作用し、それで該クロージング要素はスプリング作用に抗して開く。排気ガスが開放したばかりの開口部を通って流れ、マフラーハウジングにおける圧力降下が弱まり、機関のパワーが増加する。
【０００５】
特許文献１がいくつかのバルブの構造を開示している。
第一の構成は、一方の面に取り付けられたばね鋼の弁体を採用している。
第二の構成は、引っ張りばねに取り付けられた弁体を採用している。
【０００６】
第三の構成は、その制御圧力がベンチュリノズルにより発生させられるメンブレン室によって取り付けられたスイングフラップを採用している。
第四の構成は、その制御圧力がベンチュリノズルにより発生させられるメンブレン室を通って動く回転すべりを採用している。
【０００７】
特許文献３は、クロージャー要素としてばね付勢されたフラップを採用している。
特許文献２も同様に、ばね付勢されたスイングフラップを採用している。
これら全ての構成において、バルブがマフラーハウジングの内部に収容されているので、その全ての部品が、排気ガスの熱と攻撃的要素と圧力の脈動にさらされる。ゆえに、いくつかの部品は耐熱性で酸化しない材料から作られなければならない。よって実際にはこれらの構成は受け入れられるに至っていない。
【０００８】
【特許文献１】ＵＳ４４８４６５９
【特許文献２】ＵＳ５６１４６９９
【特許文献３】ＵＳ２００２／００３３３０３Ａ
【発明の開示】
【発明が解決しようとする課題】
【０００９】
ゆえに本発明の目的は、初めに述べた種類のマフラーを明細に述べ、経済的な材料を用いても長い有効寿命を可能にすることである。
【課題を解決するための手段】
【００１０】
この目的は以下の特徴を有するマフラーによって達成される：
−ハウジングと、
−該ハウジングにおいて終端する少なくとも一つのガスパイプと、
−少なくとも一つのバルブとを備え、該バルブのクロージャー要素が休止状態において、ばねによってパイプの端を閉じ、
−バルブが持ち上げ動作を行い、
−クロージャー要素が円板であり、
−円盤がガイドロッドに着座し、
−ガイドロッドがガイドスリーブに案内され、
−ばねがバルブハウジングの中に位置し、
−バルブハウジングが気密で、マフラーハウジングに気密に接続される。
【００１１】
本発明の本質的な利点は、温度に敏感なばねが収容されたバルブハウジングがマフラーハウジングの外側に位置するという事実に基づく。熱い排気ガスが直接バルブハウジングを熱することはできない。さらに、バルブハウジングは空気流によって冷却される。バルブハウジングが気密で、マフラーハウジングに気密に接続されているので、排気ガスは漏れない。
【００１２】
本発明の一つの実施形態によれば、ばね案内円板がガイドロッドのばね側の端に設けられている。それによってばねがしっかり固定される。さらに、ばね作用がガイドロッドに対称的に伝えられ、それで後者（ガイドロッド）はガイドスリーブで挟まれ動けなくなることはない。
【００１３】
それに加えて、針金のリングがガイドロッドのばね側の端に置かれても良い。それが減衰要素として働き、ガラガラと鳴る騒音を抑える。
パイプの端が先細で、円板も先細であることが好ましい。それにより静止位置において、クロージャーがガス送り菅の端にしっかりと据えられることになる。
【００１４】
本発明の一つの実施形態によれば、ばねが円錐形である。そのような円錐形ばねのばね特性は、弁体の開閉の特徴に最も適合している。
本発明は、図を参考にして、例示的に、実施形態の形でより詳細に示される。各例において全く概略的に示す。
【発明を実施するための最良の形態】
【００１５】
図１及び２は、全く概略的且つ部分的に、マフラーハウジング２０を示す。該ハウジングの内部は、横の仕切り２１、２２によって三つの室２３、２４、２５に分かれている。パイプ２７が排気ガスをハウジング２０内に運び、パイプ２８が排気ガスをまたハウジング２０の外へ運ぶ。
【００１６】
ハウジング２０の内部に、ガスを運ぶ三つのパイプ１、１’、１”がある。パイプ１は第一室２３の近くに送り穴２６を有し、ガスはそこを通って漏れることができる。
図１に大きく示されるように、第一ガスパイプ１の端２は円錐形に広がっている。同じく円錐形の弁体３がパイプ１の端２を閉じる。弁体３がガイドロッド４に設けられ、該ロッド４の方はガイドスリーブ５に案内されている。ガイドスリーブ５は、マフラーハウジング２０の壁に気密に設けられた組み立てスリーブ１１で支えられている。マフラー２０の外側にバルブハウジング１０がある。その中に、ばね留め具９で支えられた円錐形ばね８がある。ばね８の他端は、ガイドロッド４の端に設けられたばね案内円板７を圧する。このようにして、ばね８はしっかり支えられ、その力を対称的にガイドロッド４に分散させる。
【００１７】
ばね案内円板７とバルブハウジング１０の間で、針金で編んだリング６がガイドロッド４に置かれている。このリング６は減衰要素として働き、騒音を防ぐ。
図１が示すように、休止状態における弁体３は、パイプ１の端２から少し離れたばね８の作用を受けやすい。ゆえに排気ガスが、小さな流れ断面のこの環状の隙間を通って流れる。排気ガスの大部分は送り穴２６を通ってパイプ１から出る（図２）。この場合、排気ガスが第一室２３を通ってガスパイプ１”に流れ、出口パイプ２８を通ってマフラーハウジング２０を出る。
【００１８】
内燃機関（図示せず）の回転速度が増加するとすぐに、パイプ２７を通ってマフラーハウジング２０に流れる排気ガスの量は増加する。これにより、弁体３に対する噴出の衝撃が増大する。圧力が十分高くなるとすぐに、弁体３がばね８の力に抗して開き、排気ガスのための道を開ける。これは図２に示される。排気ガスはパイプ１から出て第三室２５に流れるので、第二のガスパイプ１’を通って第一室２３に流れ、パイプ１”を通って後者（第一室２３）から出て行く。
【図面の簡単な説明】
【００１９】
【図１】可変減衰特性を有するマフラーの一部、バルブ部分だけを表した断面図である。
【図２】完全なマフラーの縦断面図である。
【符号の説明】
【００２０】
１  ガスパイプ
２  端
３  クロージャー要素
４  ガイドロッド
５  ガイドスリーブ
８  ばね
１０  バルブハウジング
２０  マフラーハウジング
【図１】
2004278519.tif 000003
【図２】
2004278519.tif 000004